(57)【要約】【課題】一般ユーザや市場に受け入れられる現実性のある手法により、ＤＶＤ出版物の海賊版制作の難易度を高める。【解決手段】ＢＣＡ領域・リードイン領域・データ領域・リードアウト領域が内周から順に規格化されているデジタル多用途ディスクであって、データ領域には暗号化されたコンテンツが記録され、ＢＣＡ領域には暗号鍵の第１部分情報が記録され、リードイン領域には暗号鍵の第２部分情報が記録され、第１部分情報と第２部分情報により暗号鍵を解読でき、解読した暗号鍵を用いてコンテンツを復号化することができる。【選択図】      図１
2005044425.tif 000002
【特許請求の範囲】
【請求項１】
ＢＣＡ領域・リードイン領域・データ領域・リードアウト領域が内周から順に規格化されているデジタル多用途ディスクであって、データ領域には暗号化されたコンテンツが記録され、ＢＣＡ領域には暗号鍵の第１部分情報が記録され、リードイン領域またはデータ領域には暗号鍵の第２部分情報が記録され、第１部分情報と第２部分情報により暗号鍵を解読でき、解読した暗号鍵を用いてコンテンツを復号化することができるデジタル多用途ディスク。
【請求項２】
第１部分情報と第２部分情報とにより暗号鍵が解読できることを示す特定のフラグ情報がＢＣＡ領域に記録されている請求項１に記載のデジタル多用途ディスク。
【請求項３】
ディスク製造時に使用されたＢＣＡ記録機のＩＤ、そのＢＣＡ記録機メーカーのＩＤの少なくとも一方が、ＢＣＡ領域に記録されている請求項１または２に記載のデジタル多用途ディスク。
【請求項４】
ディスク製造時に使用されたスパッタ装置のＩＤ、そのスパッタ装置メーカーのＩＤの少なくとも一方が、ＢＣＡ領域に記録されている請求項１〜３のいずれかに記載のデジタル多用途ディスク。
【請求項５】
請求項１〜４のいずれかに記載のデジタル多用途ディスクを再生する装置であって、ＢＣＡ領域に記録されている第１部分情報を読み取る手段と、リードイン領域またはデータ領域に記録されている第２部分情報を読み取る手段と、第１部分情報と第２部分情報に基づいて暗号鍵を解読する手段と、データ領域から読み取ったコンテンツを暗号鍵に基づいて復号化する手段とを備えたデジタル多用途ディスク再生装置。
【発明の詳細な説明】
【０００１】
【技術分野】
この発明は、映画や音楽などの作品を収録して出版されるデジタル多用途ディスク（ＤＶＤ）に関し、とくに、海賊版制作の難易度を高めたデジタル多用途ディスクに関する。
【０００２】
【背景技術】
よく知られているように、映画や音楽などの作品をＤＶＤに収録した出版物に関しては、著作権を無視した不法複製品（海賊版）が横行して市場が攪乱されている。知的財産権の保護意識が高まるなかで、海賊版の製作・流通をくい止めることがきわめて重要な課題として認識され、いろいろな対策が講じられている。それにもかかわらず、悪意の海賊版業者といたちごっこを続けているのが現状である。
【０００３】
現状のＤＶＤ出版物は、ＣＳＳまたはＣＰＰＭという暗号化方式を使ってコンテンツを暗号化して記録し、コンテンツを復号化するための暗号鍵をディスクのリードイン領域（またはデータ領域）に記録している。コンテンツを復号化する回路を備えた正規のＤＶＤプレーヤーは、復号化したコンテンツをデジタル出力できないように構成されている。しかし、コンテンツを復号化してデジタル出力できる特殊なＤＶＤプレーヤーを不正に利用することで、比較的容易に海賊版を製作することができてしまう。また、ＤＶＤ出版物の暗号化されたままのピット情報をそのまま物理的に複製してマスターディスクを製作し、それを使って海賊版を大量生産する手口も横行している。
【０００４】
【発明の開示】
この発明の目的は、一般ユーザや市場に受け入れられる現実性のある手法により、ＤＶＤ出版物の海賊版制作の難易度を高めることにある。
この発明に係るＤＶＤ（デジタル多用途ディスク）は、ＢＣＡ領域・リードイン領域・データ領域・リードアウト領域が内周から順に規格化されているデジタル多用途ディスクであって、データ領域には暗号化されたコンテンツが記録され、ＢＣＡ領域には暗号鍵の第１部分情報が記録され、リードイン領域またはデータ領域には暗号鍵の第２部分情報が記録され、第１部分情報と第２部分情報により暗号鍵を解読でき、解読した暗号鍵を用いてコンテンツを復号化することができるものである。
【０００５】
この基本構成に加えて、つぎの技術事項を適宜に組み合せて実施することができる。
（１）第１部分情報と第２部分情報とにより暗号鍵が解読できることを示す特定のフラグ情報がＢＣＡ領域に記録されていること
（２）ディスク製造時に使用されたＢＣＡ記録機のＩＤ、そのＢＣＡ記録機メーカーのＩＤの少なくとも一方が、ＢＣＡ領域に記録されていること
（３）ディスク製造時に使用されたスパッタ装置のＩＤ、そのスパッタ装置メーカーのＩＤの少なくとも一方が、ＢＣＡ領域に記録されていること
【０００６】
また、上記のように構成されたデジタル多用途ディスクを再生するこの発明に係る再生装置は、ＢＣＡ領域に記録されている第１部分情報を読み取る手段と、リードイン領域またはデータ領域に記録されている第２部分情報を読み取る手段と、第１部分情報と第２部分情報に基づいて暗号鍵を解読する手段と、データ領域から読み取ったコンテンツを暗号鍵に基づいて復号化する手段とを備えたものである。
【０００７】
【発明の実施の形態】
図１にこの発明の一実施例に係るデジタル多用途ディスクの情報記録フォーマット構造を示している。よく知られているように、ＤＶＤ規格では、ＢＣＡ領域・リードイン領域・データ領域・リードアウト領域が内周から順に設定されている。データ領域には、ＤＶＤ規格のファイルフォーマットに従って映画や音楽などのコンテンツが暗号化されて記録される。本実施例における暗号化方式としては、従来のＤＶＤにおいて典型的なＣＳＳやＣＰＰＭを使用する。従って、暗号化技術および復号化技術そのものについて、本発明が従来にない新規な技術を必須の要件とするものではない。
【０００８】
背景技術の項で説明したように、ＣＳＳやＣＰＰＭの暗号化方式を採用した従来のＤＶＤにおいては、コンテンツの復号化に必要となる暗号鍵をリードイン領域（またはデータ領域）に記録していた。従来のＤＶＤ再生装置は、リードイン領域（またはデータ領域）に記録された暗号鍵を読み取るとともに、データ領域から読み取ったコンテンツを暗号鍵に基づいて復号化し、アナログ映像信号やアナログ音声信号として出力するように構成されている。
【０００９】
これに対して、この実施例においては、暗号鍵の第１部分情報がＢＣＡ領域に記録され、暗号鍵の第２部分情報がリードイン領域に記録される。コンテンツの暗号化方式は従来と同じＣＳＳやＣＰＰＭであるが、従来のＤＶＤのようにリードイン領域から読み出せるのは暗号鍵の第２部分情報であり、この第２部分情報だけでは暗号鍵を解読することができない。暗号鍵を解読するには、リードイン領域から読み取った第２部分情報に加えて、ＢＣＡ領域から読み取った第１部分情報が必要である。
【００１０】
具体例を図２に示している。従来と同じＣＳＳ（またはＣＰＰＭ）によりコンテンツを暗号化する場合、暗号鍵は所定形式で表現された所定バイト数（Ｍバイトとする）のデータとなる。このＭバイトの暗号鍵のうち、先頭から数えてＮバイト目から（Ｎ＋７）バイト目までの合計８バイトを抜き出し、その８バイトのデータと、その８バイトを抜き出した位置のデータ（Ｎの数値）とを第１部分情報として、ＢＣＡ領域に記録する。また８バイトを抜き出した暗号鍵に対し、ランダムに生成した無意味な８バイトを補間して、その無意味なデータで補間されたＭバイトのデータを第２部分情報としてリードイン領域に記録する。
【００１１】
また図３に示すように、ＢＣＡ領域には、ＢＣＡ領域に記録された第１部分情報とリードイン領域に記録された第２部分情報とにより暗号鍵が解読できることを示すフラグ（暗号鍵分割フラグと名付ける）と、当該ＤＶＤ製造時に使用したＢＣＡ記録機のＩＤと、そのＢＣＡ記録機のメーカーＩＤとが、前記の暗号鍵の第１部分情報（前記の８バイトおよびＮ）に加えて所定フォーマットで記録されている。
【００１２】
つぎに、この発明に係るＤＶＤ再生装置の一実施例の構成と動作につき、図４と図５に基づいて説明する。
図４はＤＶＤ再生装置のハードウェア構成の概略を示している。ＤＶＤドライブ１は、システムマイコン７の制御下で、ＤＶＤのＢＣＡ領域にピックアップをトラッキングして、ＢＣＡ領域に記録されたデータを先頭から読み取る機能を備えている。よく知られているように、ＤＶＤドライブ１からの読み取り信号は復調誤り訂正回路２を経て復号化回路３に入力され、暗号化されているコンテンツが復号化される。この例では、復号化されたコンテンツはＭＰＥＧ形式の映像音声データからなり、コンテンツはＭＰＥＧデコーダ４で復号化され、ビデオ出力回路５およびオーディオ出力回路６からアナログ映像信号およびアナログ音声信号がそれぞれ出力される。システムマイコン７はこの再生装置を統括する。
【００１３】
図５のフローチャートは、図４に示したＤＶＤ再生装置におけるシステムマイコン７の制御手順の要点を概括的に示している。ドライブ１にセットされたＤＶＤの再生コマンドが与えられると、システムマイコン１は、ＤＶＤドライブ１に指示してＢＣＡ領域の記録情報を読み取らせ、その読み取りデータを復調誤り訂正回路２を介して読み込む（ステップ５０１）。システムマイコン１は、ＢＣＡ領域から読み取ったデータに前述の暗号鍵分割フラグ（図３参照）が含まれているか否かを判断する（ステップ５０２）。
【００１４】
再生対象のＤＶＤが本発明に係るＤＶＤであれば、ＢＣＡ領域に暗号鍵分割フラグが記録されている。この場合システムマイコン７は、ＢＣＡ領域から第１部分情報を読み取るとともに（ステップ５０３）、リードイン領域から第２部分情報を読み取る（ステップ５０４）。つぎにシステムマイコン７は、図２の原理図から容易に理解できるアルゴリズムにより、第１部分情報と第２部分情報から元の暗号鍵を復元する（ステップ５０５）。そしてシステムマイコン７は、解読した暗号鍵を復号化回路３に与えるとともに、ＤＶＤドライブ１に指示してデータ領域に記録されているコンテンツを再生させる（ステップ５０６）。これで復号化回路３から復号化されたコンテンツが出力され、ＭＰＥＧデコーダ４・ビデオ出力回路５・オーディオ出力回路６を経てコンテンツの映像音声が再生出力される。なお、ステップ５０２において暗号鍵分割フラグが記録されていないと判断された場合は、暗号鍵がリードイン領域に記録されている従来方式のＤＶＤの再生処理を行う（ステップ５０７）。
【００１５】
つぎに、この発明に係るＤＶＤが、従来のものより海賊版制作が困難になる理由について説明する。この発明のＤＶＤを複製するには、ＢＣＡ領域に暗号鍵の第１部分情報を記録する必要がある。それにはＢＣＡ記録機という特殊な装置が必要であり、この点において海賊版制作の困難性が飛躍的に高まる。また、この発明に係るＤＶＤ制作にあたって、図３の実施例に示したように、使用したＢＣＡ記録機のＩＤおよびそのメーカーＩＤを記録することを義務づけることとし、再生装置ではＢＣＡ領域にこれらＩＤが記録されていないＤＶＤの再生を禁止するように構成することで、海賊版制作をさらに困難なものとすることができる。この効果をさらに高めるには、第１部分情報とＢＣＡ記録機ＩＤとメーカーＩＤとを秘密のアルゴリズムによりスクランブルしてＢＣＡ領域に記録することが望ましい。
【００１６】
上記のような方式を実施するにあたっては、望ましくは、以下のようなＤＶＤ制作支援装置を利用することとする。この支援装置とは、コンテンツの暗号化に使用する暗号鍵を入力する手段と、入力された暗号鍵に基づいて第１部分情報と第２部分情報を生成する手段と、生成された第１部分情報を含んだＢＣＡ領域の記録データを出力する手段と、生成された第２部分情報を含んだリードイン領域の記録データを出力する手段とを備えた装置であり、プログラムされたパソコンにより構成することができる。
【００１７】
さらに望ましくは、ＤＶＤ制作支援装置には、ＢＣＡ記録機ＩＤやＢＣＡ記録機メーカーＩＤを不揮発性メモリに記憶しておき、ＢＣＡ領域に記録すべきデータとして、第１部分情報と不揮発性メモリのＩＤとをスクランブルしたデータを出力するように構成する。そして、ＤＶＤ出版物管理機関がＢＣＡ記録機ＩＤやメーカーＩＤを発行してＤＶＤ制作支援装置の不揮発性メモリに格納するという管理体制を確立しておけば、不正に制作された海賊版ＤＶＤからその制作業者を追求しやすくなり、この面での不正抑止効果がきわめて大きい。
【００１８】
なお、高出力レーザーを用いた特殊なＢＣＡ記録機によりＢＣＡ領域にデータを記録することに代替可能な手段として、ＤＶＤ制作時に使用するスパッタ装置でＢＣＡ領域のデータを記録する方法がある。この場合には、ＢＣＡ記録機ＩＤ・そのメーカーＩＤをスパッタ装置ＩＤ・そのメーカーＩＤとすれば、上記の説明が妥当する。
【００１９】
また、暗号鍵を第１部分情報と第２部分情報とに分ける方式は、図２を用いて説明した実施例に限定されるものではなく、さまざまな論理方式で実施可能なことは、その原理から明らかである。
【図面の簡単な説明】
【図１】この発明の一実施例によるデジタル多用途ディスクのデータ記録フォーマットの概念図である。
【図２】暗号鍵を第１部分情報と第２部分情報とに分ける一実施例の説明図である。
【図３】同上実施例におけるＢＣＡ領域のデータ記録フォーマットの概念図である。
【図４】この発明に係るデジタル多用途ディスク再生装置の概略構成ブロック図である。
【図５】同上再生装置の再生制御手順の概略フローチャートである。
【図１】
2005044425.tif 000003
【図２】
2005044425.tif 000004
【図３】
2005044425.tif 000005
【図４】
2005044425.tif 000006
【図５】
2005044425.tif 000007